(57)【要約】  本開示の実施例はパワー制御の方法、端末デバイス及びネットワークデバイスを提供する。当該方法は、端末デバイスが第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号に再構成が発生した場合に、前記第一ＳＲＩ情報に関連付けられた第一クローズドループ調整係数をゼロイングすることと、前記端末デバイスがゼロイングされた前記第一クローズドループ調整係数に基づいて、前記ＰＵＳＣＨの送信パワーを確定することとを含む。
2021515994.tif 000002
【特許請求の範囲】
【請求項１】
パワー制御の方法であって、
端末デバイスは、第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号に再構成が発生した場合に、前記第一ＳＲＩ情報に関連付けられた第一クローズドループ調整係数をゼロイングすることと、
前記端末デバイスは、ゼロイングされた前記第一クローズドループ調整係数に基づいて、前記ＰＵＳＣＨの送信パワーを確定することと、
を含むことを特徴とするパワー制御の方法。
【請求項２】
前記第一ＳＲＩ情報は、前記ＰＵＳＣＨをスケジューリングするためのダウンリンク制御情報（ＤＣＩ）に含まれる、ことを特徴とする請求項１に記載の方法。
【請求項３】
前記方法は更に前記端末デバイスがネットワークデバイスから送信された第一上位層シグナリングを受信することを含み、前記第一上位層シグナリングは複数のＳＲＩ情報に対応するオープンループパワー制御パラメータ又はダウンリンク参照信号のインデックスの構成に用いられ、
前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる、ことを特徴とする請求項１又は２に記載の方法。
【請求項４】
前記方法は更に、
前記端末デバイスがネットワークデバイスから送信された、前記端末デバイスの各バンドワイズパート（ＢＷＰ）における複数のＳＲＩ情報に対応するオープンループパワー制御パラメータ又はダウンリンク参照信号のインデックスの構成に用いられる第二上位層シグナリングを受信することと、
前記端末デバイスが前記ＰＵＳＣＨを伝送するＢＷＰにおける対応関係に基づいて、前記第一ＳＲＩ情報に関連付けられた第一オープンループパワー制御パラメータ又は第一ＳＲＩ情報に関連付けられた第一ダウンリンク参照信号を確定することと、
を含むことを特徴とする請求項１〜３の何れか一つに記載の方法。
【請求項５】
前記第一オープンループパワー制御パラメータは、目標受信パワー又はパスロス係数である、ことを特徴とする請求項１〜４の何れか一つに記載の方法。
【請求項６】
前記第一ダウンリンク参照信号は、ダウンリンク同期信号ブロック（ＳＳＢ）又はチャンネル状態情報参照信号（ＣＩＳ−ＲＳ）である、ことを特徴とする請求項１〜５の何れか一つに記載の方法。
【請求項７】
前記方法は更に、
前記端末デバイスが前記第一ＳＲＩ情報に関連付けられたクローズドループパワー制御プロセスに基づいて、前記クローズドループ制御プロセスにおける前記第一クローズドループ調整係数を確定することを含むことを特徴とする請求項１〜６の何れか一つに記載の方法。
【請求項８】
前記の前記第一ＳＲＩ情報に関連付けられた第一クローズドループ調整係数をゼロイングすることは、
前記ＰＵＳＣＨのクローズドループパワー制御に蓄積モードがオンされた場合に、前記端末デバイスが前記第一クローズドループ調整係数をゼロイングすることを含むことを特徴とする請求項１〜７の何れか一つに記載の方法。
【請求項９】
前記端末デバイスがゼロイングされた前記第一クローズドループ調整係数に基づいて前記ＰＵＳＣＨの送信パワーを確定することは、
前記端末デバイスがゼロイングされた前記第一クローズドループ調整係数、及び直近に受信された送信パワー制御（ＴＰＣ）命令に基づいて、更新された前記第一クローズドループ調整係数を確定することと、
前記端末デバイスが更新された前記第一クローズドループ調整係数に基づいて、前記ＰＵＳＣＨの送信パワーを確定することと、
を含むことを特徴とする請求項１〜８の何れか一つに記載の方法。
【請求項１０】
前記方法は更に、
前記端末デバイスが確定された前記送信パワーに基づいて前記ＰＵＳＣＨを送信することを含むことを特徴とする請求項１〜９の何れか一つに記載の方法。
【請求項１１】
パワー制御の方法であって、
ネットワークデバイスは、第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号を再構成した後に、前記第一ＳＲＩ情報に関連付けられた第一クローズドループ調整係数をゼロイングすることを含むことを特徴とするパワー制御の方法。
【請求項１２】
前記第一ＳＲＩ情報は、前記ＰＵＳＣＨをスケジューリングするためのダウンリンク制御情報（ＤＣＩ）に含まれる、ことを特徴とする請求項１１に記載の方法。
【請求項１３】
前記方法は更に、
前記ネットワークデバイスが端末デバイスに第一上位層シグナリングを送信する、ことを含み、前記第一上位層シグナリングは、複数のＳＲＩ情報に対応するオープンループパワー制御パラメータ又はダウンリンク参照信号のインデックスの構成に用いられ、
前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる、
ことを特徴とする請求項１１又は１２に記載の方法。
【請求項１４】
前記方法は更に、
前記ネットワークデバイスが端末デバイスに、前記端末デバイスの各バンドワイズパート（ＢＷＰ）における複数のＳＲＩ情報に対応するオープンループパワー制御パラメータ又はダウンリンク参照信号のインデックスの構成に用いられる第二上位層シグナリングを送信することを含むことを特徴とする請求項１１〜１３の何れか一つに記載の方法。
【請求項１５】
前記第一オープンループパワー制御パラメータは、目標受信パワー又はパスロス係数である、ことを特徴とする請求項１１〜１４の何れか一つに記載の方法。
【請求項１６】
前記第一ダウンリンク参照信号は、ダウンリンク同期信号ブロック（ＳＳＢ）又はチャンネル状態情報参照信号（ＣＩＳ−ＲＳ）である、ことを特徴とする請求項１１〜１５の何れか一つに記載の方法。
【請求項１７】
前記方法は更に、
前記ネットワークデバイスが前記第一ＳＲＩ情報に関連付けられたクローズドループパワー制御プロセスに基づいて、前記クローズドループ制御プロセスにおける前記第一クローズドループ調整係数を確定することを含むことを特徴とする請求項１１〜１６の何れか一つに記載の方法。
【請求項１８】
前記の前記第一ＳＲＩ情報に関連付けられた第一クローズドループ調整係数をゼロイングすることは、
前記ＰＵＳＣＨのクローズドループパワー制御に蓄積モードがオンされた場合に、前記ネットワークデバイスが前記第一クローズドループ調整係数をゼロイングすることを含むことを特徴とする請求項１１〜１７の何れか一つに記載の方法。
【請求項１９】
前記方法は更に、
前記ネットワークデバイスがゼロイングされた前記第一クローズドループ調整係数に基づいて、後続のＴＰＣ命令を確定することを含むことを特徴とする請求項１１〜１８の何れか一つに記載の方法。
【請求項２０】
端末デバイスであって、
第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号に再構成が発生した場合に、前記第一ＳＲＩ情報に関連付けられた第一クローズドループ調整係数をゼロイングする調整モジュールと、
ゼロイングされた前記第一クローズドループ調整係数に基づいて、前記ＰＵＳＣＨの送信パワーを確定する確定モジュールと、
を備えることを特徴とする端末デバイス。
【請求項２１】
前記第一ＳＲＩ情報は、前記ＰＵＳＣＨをスケジューリングするためのダウンリンク制御情報（ＤＣＩ）に含まれる、ことを特徴とする請求項２０に記載の端末デバイス。
【請求項２２】
前記端末デバイスは更に、
ネットワークデバイスから送信された第一上位層シグナリングを受信する通信モジュールを備え、前記第一上位層シグナリングは、複数のＳＲＩ情報に対応するオープンループパワー制御パラメータ又はダウンリンク参照信号のインデックスの構成に用いられ、
前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる、
ことを特徴とする請求項２０又は２１に記載の端末デバイス。
【請求項２３】
前記端末デバイスは、更に、
ネットワークデバイスから送信された、前記端末デバイスの各バンドワイズパート（ＢＷＰ）における複数のＳＲＩ情報に対応するオープンループパワー制御パラメータ又はダウンリンク参照信号のインデックスの構成に用いられる第二上位層シグナリングを受信する通信モジュールを備え、
前記確定モジュールは更に、
前記ＰＵＳＣＨを伝送するＢＷＰにおける前記対応関係に基づいて、前記第一ＳＲＩ情報に関連付けられた第一オープンループパワー制御パラメータ又は第一ＳＲＩ情報に関連付けられた第一ダウンリンク参照信号を確定する、ことを特徴とする請求項２０〜２２の何れか一つに記載の端末デバイス。
【請求項２４】
前記第一オープンループパワー制御パラメータは、目標受信パワー又はパスロス係数である、ことを特徴とする請求項２０〜２３の何れか一つに記載の端末デバイス。
【請求項２５】
前記第一ダウンリンク参照信号はダウンリンク同期信号ブロック（ＳＳＢ）又はチャンネル状態情報参照信号（ＣＩＳ−ＲＳ）である、ことを特徴とする請求項２０〜２４の何れか一つに記載の端末デバイス。
【請求項２６】
前記確定モジュールは更に、
前記第一ＳＲＩ情報に関連付けられたクローズドループパワー制御プロセスに基づいて、前記クローズドループ制御プロセスにおける前記第一クローズドループ調整係数を確定する、ことを特徴とする請求項２０〜２５の何れか一つに記載の端末デバイス。
【請求項２７】
前記調整モジュールは、具体的に、
前記ＰＵＳＣＨのクローズドループパワー制御に蓄積モードがオンされた場合に、前記第一クローズドループ調整係数をゼロイングする、ことを特徴とする請求項２０〜２６の何れか一つに記載の端末デバイス。
【請求項２８】
前記確定モジュールは、具体的に、
ゼロイングされた前記第一クローズドループ調整係数、及び直近に受信された送信パワー制御（ＴＰＣ）命令に基づいて、更新された前記第一クローズドループ調整係数を確定し、
更新された前記第一クローズドループ調整係数に基づいて、前記ＰＵＳＣＨの送信パワーを確定する、ことを特徴とする請求項２０〜２７の何れか一つに記載の端末デバイス。
【請求項２９】
前記端末デバイスは更に、
確定された前記送信パワーに基づいて前記ＰＵＳＣＨを送信する通信モジュールを備える、ことを特徴とする請求項２０〜２８の何れか一つに記載の端末デバイス。
【請求項３０】
ネットワークデバイスであって、
第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号を再構成した後に、前記第一ＳＲＩ情報に関連付けられた第一クローズドループ調整係数をゼロイングする調整モジュールを備える、ことを特徴とするネットワークデバイス。
【請求項３１】
前記第一ＳＲＩ情報は、前記ＰＵＳＣＨをスケジューリングするためのダウンリンク制御情報（ＤＣＩ）に含まれる、ことを特徴とする請求項３０に記載のネットワークデバイス。
【請求項３２】
前記ネットワークデバイスは、更に、
端末デバイスに第一上位層シグナリングを送信する通信モジュールを備え、前記第一上位層シグナリングは、複数のＳＲＩ情報に対応するオープンループパワー制御パラメータ又はダウンリンク参照信号のインデックスの構成に用いられ、
前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる、ことを特徴とする請求項３０又は３１に記載のネットワークデバイス。
【請求項３３】
前記ネットワークデバイスは更に、
端末デバイスに、前記端末デバイスの各バンドワイズパート（ＢＷＰ）における複数のＳＲＩ情報に対応するオープンループパワー制御パラメータ又はダウンリンク参照信号のインデックスの構成に用いられる第二上位層シグナリングを送信する通信モジュールを備える、ことを特徴とする請求項３０〜３２の何れか一つに記載のネットワークデバイス。
【請求項３４】
前記第一オープンループパワー制御パラメータは、目標受信パワー又はパスロス係数である、ことを特徴とする請求項３０〜３３の何れか一つに記載のネットワークデバイス。
【請求項３５】
前記第一ダウンリンク参照信号は、ダウンリンク同期信号ブロック（ＳＳＢ）又はチャンネル状態情報参照信号（ＣＩＳ−ＲＳ）である、ことを特徴とする請求項３０〜３４の何れか一つに記載のネットワークデバイス。
【請求項３６】
前記ネットワークデバイスは更に、
前記第一ＳＲＩ情報に関連付けられたクローズドループパワー制御プロセスに基づいて、前記クローズドループ制御プロセスにおける前記第一クローズドループ調整係数を確定する確定モジュールを備える、ことを特徴とする請求項３０〜３５の何れか一つに記載のネットワークデバイス。
【請求項３７】
前記調整モジュールは、具体的に、
前記ＰＵＳＣＨのクローズドループパワー制御に蓄積モードがオンされた場合に、前記第一クローズドループ調整係数をゼロイングする、ことを特徴とする請求項３０〜３６の何れか一つに記載のネットワークデバイス。
【請求項３８】
前記ネットワークデバイスは更に、
ゼロイングされた前記第一クローズドループ調整係数に基づいて、後続のＴＰＣ命令を確定する確定モジュールを備える、ことを特徴とする請求項３０〜３７の何れか一つに記載のネットワークデバイス。
【発明の詳細な説明】
【技術分野】
【０００１】
本開示の実施例は、通信分野に関し、特にパワー制御の方法、端末デバイス及びネットワークデバイスに関する。
【背景技術】
【０００２】
新しい無線（Ｎｅｗ  Ｒａｄｉｏ：ＮＲ）システムにおいて、端末デバイスにアップリンク伝送のために複数のアンテナアレイブロック（パネル（ｐａｎｅｌ））が備えられても良い。ｐａｎｅｌ毎に物理的なアンテナのグループが含まれ、独立的なＲＦチャンネルが備えられても良い。端末デバイスは、複数のｐａｎｅｌにおいてデータを同時に伝送できるが、異なるｐａｎｅｌに対応するチャンネル条件が異なるため、異なるｐａｎｅｌについてそれぞれのチャンネル情報に応じて異なる伝送パラメータ、例えば送信パワーを採用する必要がある。これらの伝送パラメータを得られるため、異なるｐａｎｅｌに異なる探測参照信号（Ｓｏｕｎｄｉｎｇ  Ｒｅｆｅｒｅｎｃｅ  Ｓｉｇｎａｌ：ＳＲＳ）リソースを構成する必要があり、例えば一つのｐａｎｅｌが一つのＳＲＳリソースセットに対応可能であり、ネットワーク側においてＳＲＳリソース指示（ＳＲＳ  Ｒｅｓｏｕｒｃｅ  Ｉｎｄｉｃａｔｏｒ：ＳＲＩ）でＳＲＳリソースセットを指示することができる。なお、ＳＲＩ情報のそれぞれがひと組のパワー制御パラメータ又はダウンリンク参照信号に対応し、端末デバイスによりＳＲＩに対応するパワー制御パラメータ又はダウンリンク参照信号に基づいて物理アップリンク共有チャンネル（Ｐｈｙｓｉｃａｌ  Ｕｐｌｉｎｋ  Ｓｈａｒｅｄ  Ｃｈａｎｎｅｌ：ＰＵＳＣＨ）のパワー制御を行うことができる。ところが、ＳＲＩ情報に対応するパワー制御パラメータ又はダウンリンク参照信号に再構成が発生した場合に、パワー制御の正確性を向上するようにＰＵＳＣＨの送信パワーを如何に制御するかは、解決しなければならない課題である。
【発明の概要】
【発明が解決しようとする課題】
【０００３】
これを鑑みて、本開示の実施例は、パワー制御の正確性の向上に寄与するパワー制御の方法、端末デバイス及びネットワークデバイスを提供する。
【課題を解決するための手段】
【０００４】
第一の様態として、パワー制御の方法を提供する。当該方法は、端末デバイスは、第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号に再構成が発生した場合に、前記第一ＳＲＩ情報に関連付けられた第一クローズドループ調整係数をゼロイングすることと、前記端末デバイスは、ゼロイングされた前記第一クローズドループ調整係数に基づいて、前記ＰＵＳＣＨの送信パワーを確定することと、を含む。
【０００５】
従って、端末デバイスは、第一ＳＲＩ情報に対応する第一オープンループパワー制御パラメータ又は第一ダウンリンク参照信号に再構成が発生した場合に、前記第一ＳＲＩ情報に対応する第一クローズドループ調整係数をゼロイングし、送信パワーのクローズドループの蓄積調整を新たに行うことができるため、ゼロイングされた前記第一クローズドループ調整係数に基づいてパワー制御を実行可能であり、パワー制御の正確性を向上させることができる。
【０００６】
幾つかの可能な実施形態において、前記第一ＳＲＩ情報は、前記ＰＵＳＣＨをスケジューリングするためのダウンリンク制御情報（ＤＣＩ）に含まれる。
【０００７】
幾つかの可能な実施形態において、前記方法は更に前記端末デバイスがネットワークデバイスから送信された第一上位層シグナリングを受信することを含み、前記第一上位層シグナリングは複数のＳＲＩ情報に対応するオープンループパワー制御パラメータ又はダウンリンク参照信号のインデックスの構成に用いられ、前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる。
【０００８】
幾つかの可能な実施形態において、前記方法は更に、前記端末デバイスがネットワークデバイスから送信された、前記端末デバイスの各バンドワイズパート（ＢＷＰ）における複数のＳＲＩ情報に対応するオープンループパワー制御パラメータ又はダウンリンク参照信号のインデックスの構成に用いられる第二上位層シグナリングを受信することと、前記端末デバイスが前記ＰＵＳＣＨを伝送するＢＷＰにおける前記対応関係に基づいて、前記第一ＳＲＩ情報に関連付けられた第一オープンループパワー制御パラメータ又は第一ＳＲＩ情報に関連付けられた第一ダウンリンク参照信号を確定することと、を含む。
【０００９】
幾つかの可能な実施形態において、前記第一オープンループパワー制御パラメータは、目標受信パワー又はパスロス係数である。
【００１０】
幾つかの可能な実施形態において、前記第一ダウンリンク参照信号は、ダウンリンク同期信号ブロック（ＳＳＢ）又はチャンネル状態情報参照信号（ＣＩＳ−ＲＳ）である。
【００１１】
幾つかの可能な実施形態において、前記方法は更に、前記端末デバイスが前記第一ＳＲＩ情報に関連付けられたクローズドループパワー制御プロセスに基づいて、前記クローズドループ制御プロセスにおける前記第一クローズドループ調整係数を確定することを含む。
【００１２】
幾つかの可能な実施形態において、前記の前記第一ＳＲＩ情報に関連付けられた第一クローズドループ調整係数をゼロイングすることは、前記ＰＵＳＣＨのクローズドループパワー制御に蓄積モードがオンされた場合に、前記端末デバイスが前記第一クローズドループ調整係数をゼロイングすることを含む。
【００１３】
幾つかの可能な実施形態において、前記端末デバイスがゼロイングされた前記第一クローズドループ調整係数に基づいて前記ＰＵＳＣＨの送信パワーを確定することは、前記端末デバイスがゼロイングされた前記第一クローズドループ調整係数、及び直近に受信された送信パワー制御（ＴＰＣ）命令に基づいて、更新された前記第一クローズドループ調整係数を確定することと、前記端末デバイスが更新された前記第一クローズドループ調整係数に基づいて、前記ＰＵＳＣＨの送信パワーを確定することと、を含む。
【００１４】
幾つかの可能な実施形態において、前記方法は更に、前記端末デバイスが確定された前記送信パワーに基づいて前記ＰＵＳＣＨを送信することを含む。
【００１５】
第二の様態として、パワー制御の方法を提供する。当該方法は、ネットワークデバイスは、第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号を再構成した後に、前記第一ＳＲＩ情報に関連付けられた第一クローズドループ調整係数をゼロイングすることを含む。
【００１６】
幾つかの可能な実施形態において、前記第一ＳＲＩ情報は、前記ＰＵＳＣＨをスケジューリングするためのダウンリンク制御情報（ＤＣＩ）に含まれる。
【００１７】
幾つかの可能な実施形態において、前記方法は更に、前記ネットワークデバイスが端末デバイスに第一上位層シグナリングを送信する、ことを含み、前記第一上位層シグナリングは、複数のＳＲＩ情報に対応するオープンループパワー制御パラメータ又はダウンリンク参照信号のインデックスの構成に用いられ、前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる。
【００１８】
幾つかの可能な実施形態において、前記方法は更に、前記ネットワークデバイスが端末デバイスに、前記端末デバイスの各バンドワイズパート（ＢＷＰ）における複数のＳＲＩ情報に対応するオープンループパワー制御パラメータ又はダウンリンク参照信号のインデックスの構成に用いられる第二上位層シグナリングを送信することを含む。
【００１９】
幾つかの可能な実施形態において、前記第一オープンループパワー制御パラメータは、目標受信パワー又はパスロス係数である。
幾つかの可能な実施形態において、前記第一ダウンリンク参照信号は、ダウンリンク同期信号ブロック（ＳＳＢ）又はチャンネル状態情報参照信号（ＣＩＳ−ＲＳ）である。
【００２０】
幾つかの可能な実施形態において、前記方法は更に、前記ネットワークデバイスが前記第一ＳＲＩ情報に関連付けられたクローズドループパワー制御プロセスに基づいて、前記クローズドループ制御プロセスにおける前記第一クローズドループ調整係数を確定することを含む。
【００２１】
幾つかの可能な実施形態において、前記の前記第一ＳＲＩ情報に関連付けられた第一クローズドループ調整係数をゼロイングすることは、前記ＰＵＳＣＨのクローズドループパワー制御に蓄積モードがオンされた場合に、前記ネットワークデバイスが前記第一クローズドループ調整係数をゼロイングすることを含む。
【００２２】
幾つかの可能な実施形態において、前記方法は更に、前記ネットワークデバイスがゼロイングされた前記第一クローズドループ調整係数に基づいて、後続のＴＰＣ命令を確定することを含む。
【００２３】
第三の様態として、前記第一の様態又は第一の様態の任意の可能な実施形態における方法を実行するための端末デバイスを提供する。具体的に、当該端末デバイスには、前記第一の様態又は第一の様態の任意の可能な実施形態における方法を実行するためのユニットが備えられる。
【００２４】
第四の様態として、前記第二の様態又は第二の様態の任意の可能な実施形態における方法を実行するためのネットワークデバイスを提供する。具体的に、当該ネットワークデバイスには、前記第二の様態又は第二の様態の任意の可能な実施形態における方法を実行するためのユニットが備えられる。
【００２５】
第五の様態として、端末デバイスを提供する。当該端末デバイスは、メモリと、プロセッサと、入力インターフェースと、出力インターフェースとを備える。なお、メモリ、プロセッサ、入力インターフェース及び出力インターフェースはバスシステムにより接続される。当該メモリは、コマンドを記憶する。当該プロセッサは、当該メモリに記憶されているコマンドを実行し、前記第一の様態又は第一の様態の任意の可能な実施形態における方法を実行する。
【００２６】
第六の様態として、ネットワークデバイスを提供する。当該ネットワークデバイスは、メモリと、プロセッサと、入力インターフェースと、出力インターフェースとを備える。なお、メモリ、プロセッサ、入力インターフェース及び出力インターフェースはバスシステムにより接続される。当該メモリはコマンドを記憶する。当該プロセッサは、当該メモリに記憶されているコマンドを実行し、前記第二の様態又は第二の様態の任意の可能な実施形態における方法を実行する。
【００２７】
第七の様態として、前記第一の様態又は第一の様態の任意の可能な実施形態における方法、又は前記第二の様態又は第二の様態の任意の可能な実施形態における方法を実行するために用いられるコンピュータソフトウェアコマンドが記憶されており、前記の各様態を実行するために設計されたプログラムが含まれているコンピュータ記憶媒体を提供する。
【００２８】
第八の様態として、コンピュータに運行されると、コンピュータに前記第一の様態又は第一の様態の何れか一つの実施形態における方法、又は前記第二の様態又は第二の様態の何れか一つの実施形態における方法を実行させる、コマンドが含まれているコンピュータプログラム製品を提供する。
【図面の簡単な説明】
【００２９】
【図１】本開示の実施例の一つの応用場面を示す概略図である。
【図２】本開示の実施例のパワー制御の方法を示す例示的なフローチャートである。
【図３】本開示の実施例のパワー制御の方法を示す他の例示的なフローチャートである。
【図４】本開示の実施例の端末デバイスを示す例示的なブロック図である。
【図５】本開示の実施例のネットワークデバイスを示す例示的なブロック図である。
【図６】本開示の実施例の端末デバイスを示す他の例示的なブロック図である。
【図７】本開示の実施例のネットワークデバイスを示す他の例示的なブロック図である。
【発明を実施するための形態】
【００３０】
以下に本開示の実施例における図面と合わせて本開示の実施例における技術案を説明する。
【００３１】
理解すべきなのは、本開示の実施例の技術案は、各種の通信システム、例えばグローバル移動通信（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時間分割複信（Ｔｉｍｅ  Ｄｉｖｉｓｉｏｎ  Ｄｕｐｌｅｘ：ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム、新しい無線（Ｎｅｗ  Ｒａｄｉｏ：ＮＲ）又は未来の５Ｇシステムなどに適用することができる。
【００３２】
特に、本開示の実施例の技術案は、各種の非直交多元接続技術による通信システム、例えばスパースコード多元接続（Ｓｐａｒｓｅ  Ｃｏｄｅ  Ｍｕｌｔｉｐｌｅ  Ａｃｃｅｓｓ：ＳＣＭＡ）システム、低密度サイン（Ｌｏｗ  Ｄｅｎｓｉｔｙ  Ｓｉｇｎａｔｕｒｅ：ＬＤＳ）システムなどに適用することができる。勿論、ＳＣＭＡシステムとＬＤＳシステムは、通信分野において別の名称で呼ばれても良い。更に、本開示の実施例の技術案は、非直交多元接続技術が採用されたマルチキャリア伝送システム、例えば非直交多元接続技術が採用された直交周波数分割複信（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）、フィルタバンクマルチキャリア（Ｆｉｌｔｅｒ  Ｂａｎｋ  Ｍｕｌｔｉ−Ｃａｒｒｉｅｒ：ＦＢＭＣ）、汎用周波数分割複信（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：ＧＦＤＭ）、フィルタリング直交周波数分割複信（Ｆｉｌｔｅｒｅｄ−ＯＦＤＭ：Ｆ−ＯＦＤＭ）システムなどに適用することができる。
【００３３】
本開示の実施例における端末デバイスは、ユーザデバイス（Ｕｓｅｒ  Ｅｑｕｉｐｍｅｎｔ：ＵＥ）、アクセス端末、ユーザユニット、ユーザステーション、モバイルステーション、移動局、リモートステーション、リモート端末、モバイルデバイス、ユーザ端末、端末、無線通信デバイス、ユーザエージェント又はユーザ装置であっても良い。アクセス端末は、セルラー電話、コードレス電話、セッションイニシエーションプロトコル（Ｓｅｓｓｉｏｎ  Ｉｎｉｔｉａｔｉｏｎ  Ｐｒｏｔｏｃｏｌ：ＳＩＰ）電話、無線ローカルループ（Ｗｉｒｅｌｅｓｓ  Ｌｏｃａｌ  Ｌｏｏｐ：ＷＬＬ）ステーション、パーソナルデジタルアシスタント（Ｐｅｒｓｏｎａｌ  Ｄｉｇｉｔａｌ  Ａｓｓｉｓｔａｎｔ：ＰＤＡ）、無線通信機能付きハンドヘルドデバイス、演算デバイス又は無線モデムに接続される他の処理デバイス、車載デバイス、ウェアラブルデバイス、未来５Ｇネットワークにおける端末デバイス又はロングタームエボリューションパブリックランドモバイルネットワーク（Ｐｕｂｌｉｃ  Ｌａｎｄ  Ｍｏｂｉｌｅ  Ｎｅｔｗｏｒｋ：ＰＬＭＮ）における端末デバイスなどであっても良く、本開示の実施例に限定されない。
【００３４】
本開示の実施例におけるネットワークデバイスは、端末デバイスと通信するためのデバイスであっても良い。当該ネットワークデバイスは、ＧＳＭ又はＣＤＭＡにおける基地局（Ｂａｓｅ  Ｔｒａｎｓｃｅｉｖｅｒ  Ｓｔａｔｉｏｎ：ＢＴＳ）、ＷＣＤＭＡシステムにおける基地局（ＮｏｄｅＢ：ＮＢ）、ＬＴＥシステムにおけるエボリューション基地局（Ｅｖｏｌｕｔｉｏｎａｌ  ＮｏｄｅＢ：ｅＮＢ又はｅＮｏｄｅＢ）、クラウド無線アクセスネットワーク（Ｃｌｏｕｄ  Ｒａｄｉｏ  Ａｃｃｅｓｓ  Ｎｅｔｗｏｒｋ：ＣＲＡＮ）の場面における無線コントローラであっても良い。或いは、当該ネットワークデバイスは、中継局、アクセスポイント、車載デバイス、ウェアラブルデバイス及び未来５Ｇネットワークにおけるネットワークデバイス、或いはロングタームエボリューションＰＬＭＮネットワークにおけるネットワークデバイスなどであっても良く、本開示の実施例に限定されない。
【００３５】
図１は本開示の実施例の一つの応用場面を示す概略図である。図１における通信システムは、端末デバイス１０と、ネットワークデバイス２０とを備えても良い。ネットワークデバイス２０は、端末デバイス１０に通信サービスを提供してコアネットワークに接続させるものである。端末デバイス１０は、ネットワークデバイス２０から送信される同期信号、ブロードキャスト信号などを探測することによりネットワークにアクセスしてネットワークとの通信を行う。図１に示された矢印は、端末デバイス１０とネットワークデバイス２０の間のセルラーリンクにより行われるアップリンク／ダウンリンク伝送を示すことができる。
【００３６】
ＮＲシステムにおいて、端末は、ＳＲＩ又はＳＲＩに指示されるＳＲＳリソースにより対応するアップリンク伝送のパワー制御パラメータを取得することにより、アップリンクデータを伝送するための送信パワーを取得することができる。
【００３７】
いままで、ＰＵＳＣＨの送信パワーは、以下の公式で算出可能である。
【数１】
2021515994.tif 000003
【００３８】
なお、ｉは一回のＰＵＳＣＨ伝送のインデックス、ｊはオープンループパワー制御パラメータのインデックス、
2021515994.tif 000004
はパスロス推定に用いられる参照信号（Ｒｅｆｅｒｅｎｃｅ  Ｓｉｇｎａｌ：ＲＳ）のインデックス、
2021515994.tif 000005
はＰＵＳＣＨに占有されるリソースブロック（Ｒｅｓｏｕｒｃｅ  Ｂｌｏｃｋ：ＲＢ）の数、
2021515994.tif 000006
は端末デバイスにより構成されるサービスセルｃのサブフレームｉにおける最大送信パワー、
2021515994.tif 000007
はオープンループパワー制御パラメータ、
2021515994.tif 000008
は端末デバイスにより測定されるサービスセルｃから当該端末デバイスまでのパスロス値、
2021515994.tif 000009
は端末デバイスが当該ＰＵＳＣＨに送信されたアップリンクデータのビット数と当該ＰＵＳＣＨに含まれたリソースユニットの数との比に基づいて確定した値、
2021515994.tif 000010
はクローズドループパワー制御調整係数であって端末デバイスが当該ＰＵＳＣＨのパワー調整命令に対して確定した値、
2021515994.tif 000011
はクローズドループパワー制御のプロセスのインデックスである。
【００３９】
図２は本開示の実施例のパワー制御による方法２００の例示的なフローチャートである。図２に示されたように、当該方法２００は以下のステップを含む。
【００４０】
Ｓ２１０において、端末デバイスは、第一探測参照信号リソース指示（ＳＲＩ）情報に関連付けられた第一オープンループパワー制御パラメータ、或いは第一ＳＲＩ情報に関連付けられた第一ダウンリンク参照信号が再構成された場合に、前記第一ＳＲＩ情報に関連付けられた第一クローズドループ調整係数をゼロイングする。なお、前記第一オープンループパワー制御パラメータは、物理アップリンク共有チャンネル（ＰＵＳＣＨ）のパワー制御に用いられ、前記第一ダウンリンク参照信号は、前記ＰＵＳＣＨに対してパワー制御を行う場合におけるパスロス値の測定に用いられる。
【００４１】
Ｓ２２０において、前記端末デバイスは、ゼロイングされた前記第一クローズドループ調整係数に基づいて、前記ＰＵＳＣＨの送信パワーを確定する。
【００４２】
選択的に、本開示の実施例において、前記第一ＳＲＩ情報は、前記ＰＵＳＣＨをスケジューリングするためのダウンリンク制御情報（Ｄｏｗｎｌｉｎｋ  Ｃｏｎｔｒｏｌ  Ｉｎｆｏｒｍａｔｉｏｎ：ＤＣＩ）に含まれても良い。例えば、前記第一ＳＲＩメッセージは、前記ＤＣＩに含まれているＳＲＩ指示フィールドにより指示されるＳＲＩの値であっても良い。前記第一ＳＲＩ情報は、第一オープンループパワー制御パラメータ又は第一ダウンリンク参照信号に関連付けられる（或いは対応する）。
【００４３】
選択的に、別のＰＵＳＣＨをスケジューリングするＤＣＩに第二ＳＲＩ情報が含まれても良い。前記第二ＳＲＩ情報は、第二オープンループパワー制御パラメータ又は第二ダウンリンク参照信号に関連付けられる（或いは対応する）。すなわち、前記第一ＳＲＩ情報と前記第二ＳＲＩダウンリンクは、独立的なアップリンクパワー制御パラメータ又はダウンリンク参照信号にそれぞれ対応する。
【００４４】
選択的に、幾つかの実施例において、前記第一ＳＲＩに関連付けられる第一オープンループパワー制御パラメータは、目標受信パワー（公式における
2021515994.tif 000012
に対応する）又はパスロス係数（公式における
2021515994.tif 000013
に対応する）であっても良く、パワー制御に用いられる他のパラメータであっても良く、本開示の実施例に限定されない。
【００４５】
選択的に、幾つかの実施例において、前記第一ＳＲＩに関連付けられる第一ダウンリンク参照信号は、ダウンリンク同期信号ブロック（Ｓｙｎｃｈｒｏｎｏｕｓ  Ｓｉｇｎａｌ  Ｂｌｏｃｋ：ＳＳＢ）又はチャンネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ：ＣＳＩ−ＲＳ）であっても良く、パワー制御に用いられる他の参照信号であっても良く、本開示の実施例に限定されない。特に、本開示の実施例において、前記第一ダウンリンク参照信号は、サービスセルから端末デバイスまでのパスロス値を測定するために使用可能である。
【００４６】
選択的に、幾つかの実施例において、ネットワークデバイスは、第一上位層シグナリングにより前記端末デバイスに複数のＳＲＩ情報に対応するオープンループパワー制御パラメータ又はダウンリンク参照信号のインデックスを予め構成することができる。なお、前記複数のＳＲＩ情報に前記第一ＳＲＩ情報が含まれる。これにより、前記端末デバイスは、前記第一ＳＲＩ情報の値に基づいて対応するオープンループパワー制御パラメータを確定した後に、これらのパラメータに基づいて対応する送信パワーを取得することができる。前記端末デバイスは更に、前記第一ＳＲＩ情報の値に基づいて対応する目標ダウンリンク参照信号のインデックスを確定した後に、当該インデックス指示の目標ダウンリンク参照信号に基づいてダウンリンクパスロスの測定を行ってパワー制御に用いられるパスロス値を取得することができる。すなわち、前記ネットワークデバイスは、端末デバイスに複数のＳＲＩ情報とオープンループパワー制御パラメータ又はダウンリンク参照信号のインデックスとの対応関係を予め構成することができる。これにより、端末デバイスは、現在のＳＲＩ情報の値に基づき、当該対応関係に合わせて当該ＳＲＩ情報に対応するオープンループパワー制御パラメータ又はダウンリンク参照信号のインデックスを確定することができる。
【００４７】
例えば、前記ＳＲＩ指示フィールドは２ビットの指示フィールドであっても良い。非限定な例示として、当該２ビットの指示フィールドは、値として００を取るとオープンループパワー制御パラメータ１とダウンリンク参照信号インデックス１に対応し、値として０１を取るとオープンループパワー制御パラメータ２とダウンリンク参照信号インデックス２に対応し、値として１０を取るとオープンループパワー制御パラメータ２とダウンリンク参照信号インデックス１に対応し、値として１１を取るとオープンループパワー制御パラメータ１とダウンリンク参照信号インデックス２に対応する。これにより、前記端末デバイスは、第一ＳＲＩ情報の値によれば、対応するオープンループパワー制御パラメータ又はダウンリンク参照信号のインデックスを取得することができる。例えば、前記第一ＳＲＩ情報の値が１０であれば、前記端末デバイスは、対応するオープンループパワー制御パラメータ２とダウンリンク参照信号インデックス１を確定することができ、更に、オープンループパワー制御パラメータ２とダウンリンク参照信号インデックス１に基づいてパワー制御を行うことができる。
【００４８】
選択的に、幾つかの実施例において、ネットワークデバイスは、前記第一ＳＲＩ情報に関連付けられるオープンループパワー制御パラメータ又はダウンリンク参照信号のインデックスを直接に構成することができる。この場合に、第一オープンループパワー制御パラメータに再構成が発生するのは、ネットワークデバイスが第一上位層シグナリングで前記第一ＳＲＩ情報に関連付けられたオープンループパワー制御パラメータを再構成することが端末デバイスにより検出されたものであっても良い。例えば、第一ＳＲＩ情報がいままでオープンループパワー制御パラメータ１に関連付けられたが、ネットワークデバイスは第一ＳＲＩメッセージをオープンループパワー制御パラメータ２に関連付けられるように再構成する。この場合に、前記端末デバイスは、前記第一ＳＲＩ情報に関連付けられた第一クローズドループ調整係数をゼロイングすることができる。更に、前記端末デバイスは、ゼロイングされた前記第一クローズドループ調整係数に基づいて、ＰＵＳＣＨの送信パワーを確定することにより、パワー制御の正確性を向上させることができる。
【００４９】
選択的に、幾つかの実施例において、ネットワークデバイスは、オープンループパワー制御パラメータ（例えば、
2021515994.tif 000014
）に対応するインデックス（例えば、公式におけるｊ）、即ちオープンループパワー制御パラメータとインデックスの対応関係（第一対応関係と記載される）を予め構成することができる。例えば、ネットワークデバイスは、異なるｊの値に対応する
2021515994.tif 000015
を構成することができる。更に、前記ネットワークデバイスは、更に、オープンループパワー制御パラメータのインデックスとＳＲＩ情報の対応関係（第二対応関係と記載される）を構成することができる。これにより、前記端末デバイスは、前記第一ＳＲＩ情報、及び前記第二対応関係に基づいて、オープンループパワー制御パラメータのインデックスを確定することができ、更に当該オープンループパワー制御パラメータのインデックスと第一対応関係に基づいて、当該オープンループパワー制御パラメータのインデックスに対応するオープンループパワー制御パラメータを確定することができる。この場合に、第一ＳＲＩ情報に関連付けられた第一オープンループパワー制御パラメータに再構成が発生するのは、ネットワークデバイスが第一上位層シグナリングで前記第一ＳＲＩに対応するオープンループパワー制御パラメータのインデックスを再構成し（即ち前記第二対応関係を再構成し）、或いはオープンループパワー制御パラメータインデックスに対応するオープンループパワー制御パラメータを再構成する（即ち前記第一対応関係を再構成する）ことが前記端末デバイスにより検出されたものであっても良い。
【００５０】
同様に、ネットワークデバイスは、第一上位層シグナリングで前記端末デバイスに複数のダウンリンク参照信号と対応するダウンリンク参照信号のインデックス（例えば、
2021515994.tif 000016
）の対応関係（第三対応関係と記載される）を予め構成しても良い。更に、前記ネットワークデバイスは、前記第一ＳＲＩ情報に関連付けられた目標ダウンリンク参照信号のインデックス（第四対応関係と記載される）を構成することができる。これにより、端末デバイスは、前記第一ＳＲＩ情報、及び前記第四対応関係に基づいて、目標ダウンリンク参照信号のインデックスを確定し、更に前記目標ダウンリンク信号のインデックス、及び当該第三対応関係と合わせて前記第一ＳＲＩ情報に関連付けられた目標ダウンリンク参照信号を確定することができる。この場合に、前記第一ＳＲＩ情報に関連付けられた第一ダウンリンク参照信号に再構成が発生するのは、ネットワークデバイスが第一上位層シグナリングで前記第一ＳＲＩ情報に関連付けられたダウンリンク参照信号のインデックスを再構成し（即ち第四対応関係を再構成し）、或いは、ネットワークデバイスが前記ダウンリンク参照信号インデックスに対応するダウンリンク参照信号を再構成するものであっても良い（前記第三対応関係が変化したと理解されても良い）。例えば、ネットワークデバイスは、今まで第一ＳＲＩ情報をダウンリンク参照信号インデックス０に関連付けられたように構成したが、第一ＳＲＩ情報をダウンリンク参照信号インデックス１に関連付けられたように再構成する。又は、ネットワークデバイスは、今までダウンリンク参照信号インデックス０をＣＳＩ−ＲＳ０に関連付けられたように構成したが、ダウンリンク参照信号インデックス０をＣＳＩ−ＲＳ１に関連付けられたように再構成する。
【００５１】
選択的に、幾つかの実施例において、前記方法２００は更に以下のステップを含んでも良い。
【００５２】
前記端末デバイスは、ネットワークデバイスから送信された第二上位層シグナリングを受信する。前記第二上位層シグナリングは、前記端末デバイスの各バンドワイズパート（ＢＷＰ）における複数のＳＲＩ情報に対応するオープンループパワー制御パラメータ又はダウンリンク参照信号のインデックスを構成するために用いられる。
【００５３】
前記端末デバイスは、前記ＰＵＳＣＨを伝送するＢＷＰにおける前記対応関係に基づいて、前記第一ＳＲＩ情報に関連付けられた第一オープンループパワー制御パラメータ又は第一ＳＲＩ情報に関連付けられた第一ダウンリンク参照信号を確定する。
【００５４】
即ち、前記ネットワークデバイスは、第二上位層シグナリングで各バンドワイズパート（Ｂａｎｄｗｉｄｔｈ  Ｐａｒｔ：ＢＷＰ）における複数のＳＲＩ情報に対応するオープンループパワー制御パラメータ又はダウンリンク参照信号のインデックス（第五対応関係と記載される）を構成することができる。すなわち、ＢＷＰ毎に第五対応関係を具備することができる。これにより、前記端末デバイスは、ＰＵＳＣＨを伝送するＢＷＰにおける当該第五対応関係に基づいて、第一情報に関連付けられた第一オープンループパワー制御パラメータ又は第一ＳＲＩ情報に関連付けられた第一ダウンリンク参照信号を確定することができる。
【００５５】
選択的に、前記第一上位層シグナリングと前記第二上位層シグナリングは、同一の上位層シグナリング、又は異なる上位層シグナリングであっても良く、本開示の実施例に限定されない。
【００５６】
理解すべきなのは、本開示の実施例において、第一ＳＲＩ情報に対応する第一オープンループパワー制御パラメータ又は第一ダウンリンク参照信号に再構成が発生した場合に、前記端末デバイスが依然として再構成する前に得られた第一クローズドループ調整係数に基づいて再構成された後の送信パワーを調整すれば、パワー制御の正確性が下げる可能性がある。この場合に、前記端末デバイスは、前記第一ＳＲＩ情報に対応する第一クローズドループ調整係数をゼロイングし、送信パワーのクローズドループの蓄積調整を新たに行うことができる。これにより、ゼロイングされた前記第一クローズドループ調整係数に基づいてパワー制御を行うことにより、パワー制御の正確性を向上させることができる。
【００５７】
説明すべきなのは、本開示の実施例において、前記第一ＳＲＩ情報に対応する第一クローズドループ調整係数は
2021515994.tif 000017
に対応可能である。前記第一ＳＲＩ情報に関連付けられた第一クローズドループ調整係数をゼロイングするのは、前記第一クローズドループ調整係数の履歴値をゼロイングし、例えば、
2021515994.tif 000018
をゼロイングし、或いは前記第一クローズドループ調整係数の現在値をゼロイングし、例えば
2021515994.tif 000019
をゼロイングすることを含んでも良い。
【００５８】
理解すべきなのは、本開示の実施例において、第一ＳＲＩ情報に関連付けられたパワー制御パラメータ又はダウンリンク参照信号に再構成が発生した場合に、前記端末デバイスは、他のＳＲＩ情報に関連付けられたクローズドループ調整係数を調整する必要がなく、例えば、第二ＳＲＩ情報に関連付けられた第二クローズドループ調整係数をゼロイングする必要がなく、前記第一ＳＲＩ情報に関連付けられた第一クローズドループ調整係数だけ再構成し、即ち前記第一ＳＲＩ情報に関連付けられた第一クローズドループ調整係数だけゼロイングすれば良い。
【００５９】
選択的に、本開示の実施例において、前記方法２００は以下のステップを更に含んでも良い。
【００６０】
前記端末デバイスは、前記第一ＳＲＩ情報に関連付けられたクローズドループパワー制御プロセスに応じて、前記クローズドループ制御プロセスにおける前記第一クローズドループ調整係数を確定する。
【００６１】
具体的に、ネットワークデバイスは更に、前記第一ＳＲＩ情報に関連付けられたクローズドループパワー制御プロセスのインデックス（例えば、公式における
2021515994.tif 000020
）の値を予め構成しても良い。これにより、前記端末デバイスは、当該クローズドループパワー制御プロセスのインデックスに基づいて、対応するクローズドループ調整係数（例えば、公式における
2021515994.tif 000021
）の値を確定することができ、更に、それを前記第一ＳＲＩ指示に関連付けられた第一クローズドループ調整係数とすることができる。第一ＳＲＩ情報に関連付けられたオープンループパワー制御パラメータ又はダウンリンク参照信号に再構成が発生した場合に、前記端末デバイスは、第一クローズドループ調整係数をゼロイングし、例えば、前記第一ＳＲＩ情報に関連付けられた第一クローズドループ調整係数の履歴値（例えば、
2021515994.tif 000022
）又は現在値（例えば
2021515994.tif 000023
）をゼロイングすることができる。
【００６２】
特に、本開示の実施例において、Ｓ２１０は具体的に以下のステップを含んでも良い。
【００６３】
前記端末デバイスは、前記ＰＵＳＣＨのクローズドループパワー制御に蓄積モードがオンされた場合に、前記第一クローズドループ調整係数をリセットする。
【００６４】
理解すべきなのは、本開示の実施例において、蓄積モードは全てのクローズドループパワー制御プロセスに対するものであっても良い。この場合に、前記端末デバイスは、前記第一ＳＲＩ情報に関連付けられたオープンループパワー制御パラメータ又はダウンリンク参照信号に再構成が発生し、且つクローズドループパワー制御に蓄積モードがオンされた場合に、前記第一ＳＲＩ情報に対応する第一クローズドループ調整係数をゼロイングすることができる。又は、前記ネットワークデバイスは、クローズドループパワー制御プロセス毎に対応する蓄積モードをそれぞれ構成することもできる。この場合に、前記端末デバイスは、前記第一ＳＲＩ情報に関連付けられたオープンループパワー制御パラメータ又はダウンリンク参照信号に再構成が発生し、且つ前記第一ＳＲＩ情報に対応するクローズドループパワー制御プロセスに蓄積モードがオンされた場合に、前記第一ＳＲＩ情報に対応する第一クローズドループ調整係数をゼロイングすることができる。
【００６５】
理解すべきなのは、具体的な実現において、前記端末デバイスは更に、前記ＰＵＳＣＨを伝送するＢＷＰにおいてクローズドループパワー制御の蓄積モードがオンされた場合に、前記第一クローズドループ調整係数をゼロイングすることができる。
【００６６】
選択的に、幾つかの実施例において、前記端末デバイスは、ゼロイングされた前記第一パワー調整係数に基づいて、上記のように前記公式と合わせてＰＵＳＣＨの送信パワーを算出することができる。具体的に、前記第一クローズドループ調整係数をオープンループパワー制御パラメータに基づいて得られた送信パワーに加算して前記ＰＵＳＣＨの送信パワーを取得することができ、ここでは詳しく説明しない。
【００６７】
選択的に、幾つかの実施例において、Ｓ２２０は、具体的に以下のステップを含んでも良い。
【００６８】
前記端末デバイスは、ゼロイングされた前記第一クローズドループ調整係数、及び直近に受信された送信パワー制御（ＴＰＣ）命令に基づいて、更新された前記第一クローズドループ調整係数を確定する。
【００６９】
前記端末デバイスは、更新された前記第一クローズドループ調整係数に基づいて、前記ＰＵＳＣＨの送信パワーを確定する。
【００７０】
具体的に、端末デバイスは、ゼロイングされた前記第一クローズドループ調整係数、及び直近に受信された送信パワー制御（Ｔｒａｎｓｍｉｔ  Ｐｏｗｅｒ  Ｃｏｎｔｒｏｌ：ＴＰＣ）命令に基づいて、更新された第一クローズドループ調整係数を確定する。更に、前記端末デバイスは、更新された前記第一クローズドループ調整係数に基づいて、前記ＰＵＳＣＨの送信パワーを確定することができる。この場合に、蓄積方式がオンされたクローズドループパワー制御の第一クローズドループ調整係数
2021515994.tif 000024
は、
【数２】
2021515994.tif 000025
として示されても良い。なお、
2021515994.tif 000026
はＴＰＣに指示された調整値である。すなわち、端末デバイスは、前の第一クローズドループ調整係数を直接にゼロイングし、即ち
【数３】
2021515994.tif 000027
である。
【００７１】
理解すべきなのは、本開示の実施例において、前記ＴＰＣ命令は、ダウンリンクＤＣＩにより端末デバイスへ指示可能である。例えば、前記ＰＵＳＣＨのＤＣＩにおけるＴＰＣ指示フィールドをスケジューリングすることにより前記端末デバイスに指示することができる。すなわち、前記端末デバイスは、ＤＣＩにおけるＴＰＣ指示フィールドによりネットワークデバイスに構成されたクローズドループパワーの調整値を知ることができ、即ち
2021515994.tif 000028
である。
【００７２】
選択的に、幾つかの実施例において、前記方法２００は更に以下のステップを含んでも良い。
【００７３】
前記端末デバイスは、前記確定された前記送信パワーに基づいて前記ＰＵＳＣＨを送信する。
【００７４】
即ち、前記端末デバイスにより確定された前記送信パワーは、前記ＰＵＳＣＨを送信することに用いられても良い。選択的に、前記送信パワーは、ＰＵＳＣＨを送信することに用いられなくてもよい。例えば、前記端末デバイスは、確定された前記送信パワーに基づいて現在のＰＵＳＣＨのパワーヘッドルームレポート（Ｐｏｗｅｒ  Ｈｅａｄｒｏｏｍ  Ｒｅｐｏｒｔ：ＰＨＲ）を算出した後に、ＰＨＲをネットワークデバイスに報告しても良く、確定された前記送信パワーに基づいて他のアップリンク信号の送信パワーを算出しても良い。例えば、デバイス端末は、確定された前記送信パワーに一定のオフセット値を加算して得られたパワー値をＳＲＳの送信パワーなどとして確定しても良く、本開示の実施例に前記送信パワーの応用場面が限定されない。
【００７５】
いままで図２と合わせて端末デバイスから本開示の実施例による情報伝送の方法を詳しく説明した。以下に図３と合わせてネットワークデバイスから本開示の他の実施例による情報伝送の方法を詳しく説明する。理解すべきなのは、ネットワークデバイス側の説明は、端末デバイス側の説明と互いに対応する。類似の説明は、上記の内容を参照することができ、重複を避けるためにここでは詳しく説明しない。
【００７６】
図３は、本開示の実施例のパワー制御の方法３００の例示的なブロック図を示した。図３に示されたように、当該方法３００は、以下の一部又は全ての内容を含む。
【００７７】
Ｓ３１０において、ネットワークデバイスは、第一探測参照信号リソース指示（ＳＲＩ）情報に関連付けられた第一オープンループパワー制御パラメータ又は第一ＳＲＩ情報に関連付けられた第一ダウンリンク参照信号を再構成した後に、前記第一ＳＲＩ情報に関連付けられた第一クローズドループ調整係数をゼロイングする。なお、前記第一オープンループパワー制御パラメータは、物理アップリンク共有チャンネル（ＰＵＳＣＨ）のパワー制御に用いられ、前記第一ダウンリンク参照信号は、前記ＰＵＳＣＨに対してパワー制御を行うパスロス値の測定に用いられる。
【００７８】
選択的に、幾つかの実施例において、前記第一ＳＲＩ情報は、前記ＰＵＳＣＨをスケジューリングするためのダウンリンク制御情報（ＤＣＩ）に含まれる。
【００７９】
選択的に、幾つかの実施例において、前記方法３００は更に以下のステップを含んでも良い。
【００８０】
前記ネットワークデバイスは端末デバイスデバイスへ第一上位層シグナリングを送信する。前記第一上位層シグナリングは、複数のＳＲＩ情報に対応するオープンループパワー制御パラメータ又はダウンリンク参照信号のインデックスを構成するためである。なお、前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる。
【００８１】
選択的に、幾つかの実施例において、前記第一オープンループパワー制御パラメータは、目標受信パワー又はパスロス係数である。
【００８２】
選択的に、幾つかの実施例において、前記第一ダウンリンク参照信号は、ダウンリンク同期信号ブロック（ＳＳＢ）又はチャンネル状態情報参照信号（ＣＩＳ−ＲＳ）である。
【００８３】
選択的に、幾つかの実施例において、前記方法３００は更に以下のステップを含んでも良い。
【００８４】
前記ネットワークデバイスは、前記第一ＳＲＩ情報に関連付けられたクローズドループパワー制御プロセスに基づいて、前記クローズドループ制御プロセスにおける前記第一クローズドループ調整係数を確定する。
【００８５】
選択的に、幾つかの実施例において、前記の前記第一ＳＲＩ情報に関連付けられた第一クローズドループ調整係数をゼロイングすることは、以下のことを含む。
【００８６】
前記ネットワークデバイスは、前記ＰＵＳＣＨのクローズドループパワー制御に蓄積モードがオンされた場合に、前記第一クローズドループ調整係数をゼロイングする。
【００８７】
選択的に、幾つかの実施例において、前記方法３００は更に以下のステップを含んでも良い。
【００８８】
前記ネットワークデバイスは、ゼロイングされた前記第一クローズドループ調整係数に基づいて、後続のＴＰＣ命令を確定する。
【００８９】
いままで図２〜図３と合わせて、本開示の方法実施例を詳しく説明した。以下に図４〜図７と合わせて、本開示の装置実施例を詳しく説明する。理解すべきなのは、装置実施例は方法実施例と互いに対応し、類似の説明は方法実施例を参照することができる。
【００９０】
図４は、本開示の実施例による端末デバイスの例示的なブロック図である。当該端末デバイス４００には、調整モジュール４１０が備えられる。調整モジュール４１０は、第一探測参照信号リソース指示（ＳＲＩ）情報に関連付けられた第一オープンループパワー制御パラメータ又は第一ＳＲＩ情報に関連付けられた第一ダウンリンク参照信号に再構成が発生した場合に、前記第一ＳＲＩ情報に関連付けられた第一クローズドループ調整係数をゼロイングする。なお、前記第一オープンループパワー制御パラメータは、物理アップリンク共有チャンネル（ＰＵＳＣＨ）のパワー制御に用いられ、前記第一ダウンリンク参照信号は、前記ＰＵＳＣＨに対してパワー制御を行うパスロス値の測定に用いられる。
【００９１】
具体的に、当該端末デバイス４００は、前記方法２００に説明された端末デバイスに対応可能であり（例えば、それに構成されても良く、その自身であっても良い）、且つ、当該端末デバイス４００における各モジュール又はユニットはそれぞれ前記方法２００における端末デバイスに実行される各動作又は処理過程を実行するためであり、ここでは重複を避けるために詳しく説明しない。
【００９２】
図５は、本開示の実施例によるネットワークデバイスの例示的なブロック図である。当該ネットワークデバイス５００は調整モジュール５１０を備える。
【００９３】
調整モジュール５１０は、第一探測参照信号リソース指示（ＳＲＩ）情報に関連付けられた第一オープンループパワー制御パラメータ又は第一ＳＲＩ情報に関連付けられた第一ダウンリンク参照信号を再構成した後に、前記第一ＳＲＩ情報に関連付けられた第一クローズドループ調整係数をゼロイングする。なお、前記第一オープンループパワー制御パラメータは物理アップリンク共有チャンネル（ＰＵＳＣＨ）のパワー制御に用いられ、前記第一ダウンリンク参照信号は前記ＰＵＳＣＨに対してパワー制御を行うパスロス値の測定に用いられる。
【００９４】
具体的に、当該ネットワークデバイス５００は前記方法３００に説明されたネットワークデバイスに対応可能であり（例えば、それに構成されても良く、その自身であっても良い）、且つ、当該ネットワークデバイス５００における各モジュール又はユニットはそれぞれ前記方法３００におけるネットワークデバイスに実行される各動作又は処理過程を実行するためであり、ここでは重複を避けるために詳しく説明しない。
【００９５】
図６に示されたように、本開示の実施例は更に端末デバイス６００を提供する。当該端末デバイス６００は、図４における端末デバイス４００であっても良く、図２における方法２００に対応する端末デバイスの内容を実行できる。当該端末デバイス６００には、入力インターフェース６１０と、出力インターフェース６２０と、プロセッサ６３０と、メモリ６４０とが備えられる。当該入力インターフェース６１０、出力インターフェース６２０、プロセッサ６３０及びメモリ６４０は、バスシステムにより接続されても良い。当該メモリ６４０は、プログラム、コマンド又はコードを含んで記憶する。当該プロセッサ６３０は、当該メモリ６４０におけるプログラム、コマンド又はコードを実行することにより、入力インターフェース６１０が信号を受信するように制御し、出力インターフェース６２０が信号を送信するように制御し、及び前記方法実施例における操作を完成させる。
【００９６】
理解すべきなのは、本開示の実施例において、当該プロセッサ６３０は中央処理ユニット（Ｃｅｎｔｒａｌ  Ｐｒｏｃｅｓｓｉｎｇ  Ｕｎｉｔ：ＣＰＵ）であっても良い。当該プロセッサ６３０は更に、他の汎用プロセッサ、デジタル信号プロセッサ（Ｄｉｇｉｔａｌ  Ｓｉｇｎａｌ  Ｐｒｏｃｅｓｓｏｒ：ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールド・プログラマブル・ゲート・アレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジック素子、ディスクリートゲート又はトランジスタロジック素子、ディスクリートハードウェアパッケージなどであっても良い。汎用プロセッサは、マイクロプロセッサであっても良く、任意の従来のプロセッサなどであっても良い。
【００９７】
当該メモリ６４０は、読取専用メモリとランダムアクセスメモリとを備え、プロセッサ６３０にコマンドとデータを提供することができる。メモリ６４０の一部は、不揮発的なランダムアクセスメモリを備えても良い。例えば、メモリ６４０は、デバイスタイプの情報を記憶しても良い。
【００９８】
実現の過程において、前記方法の各内容は、プロセッサ６３０におけるハードウェア集積ロジック回路又はソフトウェアコマンドにより完成可能である。本開示の実施例に開示された方法と合わせた内容は、直接にハードウェアプロセッサによる実行として表現されても良く、プロセッサにおけるハードウェア及びソフトウェアモジュールの組み合わせによる実行として表現されても良い。ソフトウェアモジュールは、ランダムメモリ、フラッシュ、読取専用メモリ、プログラマブル読取専用メモリ又は電気消去可能プログラマブルメモリ、レジスタなどの当分野における従来の記憶媒体に配置されても良い。当該記憶媒体がメモリ６４０に配置され、プロセッサ６３０がメモリ６４０における情報を読み取り、そのハードウェアと合わせて前記方法の内容を完成させる。重複を避けるために、ここでは詳しく説明しない。
【００９９】
一つの具体的な実施形態において、端末デバイス４００における調整モジュール４１０及び確定モジュール４２０は、図６におけるプロセッサ６３０により実現されても良い。端末デバイス４００の通信モジュールは、図６における出力インターフェース６２０及び入力インターフェース６１０により実現されても良い。
【０１００】
図７に示されたように、本開示の実施例は更にネットワークデバイス７００を提供する。当該ネットワークデバイス７００は、図５におけるネットワークデバイス５００であっても良く、図３における方法３００に対応するネットワークデバイスの内容を実行可能である。当該ネットワークデバイス７００には、入力インターフェース７１０と、出力インターフェース７２０と、プロセッサ７３０と、メモリ７４０とが備えられる。当該入力インターフェース７１０、出力インターフェース７２０、プロセッサ７３０及びメモリ７４０は、バスシステムにより接続されても良い。当該メモリ７４０は、プログラム、コマンド又はコードを含んで記憶する。当該プロセッサ７３０は、当該メモリ７４０におけるプログラム、コマンド又はコードを実行することにより、入力インターフェース７１０が信号を受信するように制御し、出力インターフェース７２０が信号を送信するように制御し、及び前記方法実施例における操作を完成させる。
【０１０１】
理解すべきなのは、本開示の実施例において、当該プロセッサ７３０は中央処理ユニット（Ｃｅｎｔｒａｌ  Ｐｒｏｃｅｓｓｉｎｇ  Ｕｎｉｔ：ＣＰＵ）であっても良い。当該プロセッサ７３０は更に、他の汎用プロセッサ、デジタル信号プロセッサ（Ｄｉｇｉｔａｌ  Ｓｉｇｎａｌ  Ｐｒｏｃｅｓｓｏｒ：ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールド・プログラマブル・ゲート・アレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジック素子、ディスクリートゲート又はトランジスタロジック素子、ディスクリートハードウェアパッケージなどであっても良い。汎用プロセッサは、マイクロプロセッサであっても良く、任意の従来のプロセッサなどであっても良い。
【０１０２】
当該メモリ７４０は、読取専用メモリとランダムアクセスメモリとを備え、プロセッサ７３０にコマンドとデータを提供することができる。メモリ７４０の一部は、不揮発的なランダムアクセスメモリを備えても良い。例えば、メモリ７４０は、デバイスタイプの情報を記憶しても良い。
【０１０３】
実現の過程において、前記方法の各内容は、プロセッサ７３０におけるハードウェア集積ロジック回路又はソフトウェアコマンドにより完成可能である。本開示の実施例に開示された方法と合わせた内容は、直接にハードウェアプロセッサによる実行として表現されても良く、プロセッサにおけるハードウェア及びソフトウェアモジュールの組み合わせによる実行として表現されても良い。ソフトウェアモジュールは、ランダムメモリ、フラッシュ、読取専用メモリ、プログラマブル読取専用メモリ又は電気消去可能プログラマブルメモリ、レジスタなどの当分野における従来の記憶媒体に配置されても良い。当該記憶媒体がメモリ７４０に配置され、プロセッサ７３０がメモリ７４０における情報を読み取り、そのハードウェアと合わせて前記方法の内容を完成させる。重複を避けるために、ここでは詳しく説明しない。
【０１０４】
一つの具体的な実施形態において、ネットワークデバイス５００における調整モジュール５１０及び確定モジュールは図７におけるプロセッサ７３０により実現されても良い。ネットワークデバイス５００における通信モジュールは図７における入力インターフェース７１０及び出力インターフェース７２０により実現されても良い。
【０１０５】
当業者であればわかるように、本文に開示された実施例と合わせて説明された各例示のユニット及びアルゴリズムステップは、電子ハードウェア、或いはコンピュータソフトウェアと電子ハードウェアとの組み合わせにより実現可能である。これらの機能がハードウェアかソフトウェアで実行するかは、技術案の特定応用及び設計の限定条件に依存する。専門技術者は、特定の応用毎に異なる方法を採用して説明された機能を実現可能であるが、当該実現が本開示の範囲を超えていないと理解すべきである。
【０１０６】
当業者であればわかるように、説明の便利及び簡潔のために、前記説明されたシステム、装置及びユニットの具体的な動作過程は、前記方法の実施例における対応する過程を参照することができるので、ここでは詳しく説明しない。
【０１０７】
本開示により提供された幾つかの実施例において、理解すべきなのは、開示されたシステム、装置及び方法は、他の手段で実現可能である。例えば、いままで説明された装置実施例は例示的なものに過ぎない。例えば、当該ユニットの区分は、ロジック機能における区分に過ぎず、実際の実現において別の区分方式であっても良い。例えば複数のユニット又はパッケージは、組合わせても良く、別のシステムに集積されても良い。又は、幾つかの特徴は、無視されても良く、実行されなくても良い。また、表示、検討された同士間の結合、又は直接結合、又は通信接続は、幾つかのインターフェース、装置又はユニットによる間接結合又は通信接続であっても良く、電気、機械又は他の手段であっても良い。
【０１０８】
分離部品として説明された当該ユニットは、物理的に分離していてもしていなくとも良い。ユニットとして表示された部品は、物理ユニットであってもなくても良く、一つの箇所に位置されても良く、複数のネットワークユニットに分散されても良い。実際の必要に応じて一部又は全てのユニットを選択して本実施例の技術案の目的を実現することができる。
【０１０９】
また、本開示の各実施例における各機能ユニットは、一つの処理ユニットに集積されても良く、それぞれ独立に物理的に配置されても良く、二つ又はそれ以上のユニットが一つのユニットに集積されても良い。
【０１１０】
当該機能は、ソフトウェア機能ユニットで実現され且つ独立した製品として販売、使用される場合に、一つのコンピュータ読み取り可能な記憶媒体に記憶されても良い。この理解をもとに、本開示の技術案は、実際に、或いは従来技術に有益な部分、或いは当該技術案の一部は、ソフトウェア製品の形式で表現されても良い。当該コンピュータソフトウェア製品は、記憶媒体に記憶されており、コンピュータデバイス（パーソナルコンピュータ、サーバ、又はネットワークデバイスなどであっても良い）に本開示の各実施例の全て又は一部のステップを実行させるように複数のコマンドを具備する。前記の記憶媒体には、Ｕディスク、モバイルハードディスク、読取専用メモリ（Ｒｅａｄ−Ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク又は光ディスクのような、プログラムコードを記憶可能な各種の媒体が備えられる。
【０１１１】
上記記載は、本開示の具体的な実施形態であるが、本開示の保護範囲はこれに限定されない。当分野の当業者であれば、本開示に開示された技術範囲において容易に想到できる変化又は置換は、本開示の保護範囲に属すべきである。従って、本開示の保護範囲は、請求項の保護範囲を基準とすべきである。
【図１】
2021515994.tif 000029
【図２】
2021515994.tif 000030
【図３】
2021515994.tif 000031
【図４】
2021515994.tif 000032
【図５】
2021515994.tif 000033
【図６】
2021515994.tif 000034
【図７】
2021515994.tif 000035
【手続補正書】
【提出日】令和2年12月22日(2020.12.22)
【手続補正１】
【補正対象書類名】明細書
【補正対象項目名】００６４
【補正方法】変更
【補正の内容】
【００６４】
理解すべきなのは、本開示の実施例において、蓄積モードは全てのクローズドループパワー制御プロセスに対するものであっても良い。この場合に、前記端末デバイスは、前記第一ＳＲＩ情報に関連付けられたオープンループパワー制御パラメータ又はダウンリンク参照信号に再構成が発生し、且つクローズドループパワー制御プロセスに蓄積モードがオンされた場合に、前記第一ＳＲＩ情報に対応する第一クローズドループ調整係数をゼロイングすることができる。又は、前記ネットワークデバイスは、クローズドループパワー制御プロセス毎に対応する蓄積モードをそれぞれ構成することもできる。この場合に、前記端末デバイスは、前記第一ＳＲＩ情報に関連付けられたオープンループパワー制御パラメータ又はダウンリンク参照信号に再構成が発生し、且つ前記第一ＳＲＩ情報に対応するクローズドループパワー制御プロセスに蓄積モードがオンされた場合に、前記第一ＳＲＩ情報に対応する第一クローズドループ調整係数をゼロイングすることができる。
【手続補正２】
【補正対象書類名】明細書
【補正対象項目名】００７５
【補正方法】変更
【補正の内容】
【００７５】
いままで図２と合わせて端末デバイスから本開示の実施例によるパワー制御の方法を詳しく説明した。以下に図３と合わせてネットワークデバイスから本開示の他の実施例によるパワー制御の方法を詳しく説明する。理解すべきなのは、ネットワークデバイス側の説明は、端末デバイス側の説明と互いに対応する。類似の説明は、上記の内容を参照することができ、重複を避けるためにここでは詳しく説明しない。
【手続補正３】
【補正対象書類名】明細書
【補正対象項目名】００９０
【補正方法】変更
【補正の内容】
【００９０】
図４は、本開示の実施例による端末デバイスの例示的なブロック図である。当該端末デバイス４００には、調整モジュール４１０と確定モジュール４２０とが備えられる。調整モジュール４１０は、第一探測参照信号リソース指示（ＳＲＩ）情報に関連付けられた第一オープンループパワー制御パラメータ又は第一ＳＲＩ情報に関連付けられた第一ダウンリンク参照信号に再構成が発生した場合に、前記第一ＳＲＩ情報に関連付けられた第一クローズドループ調整係数をゼロイングする。なお、前記第一オープンループパワー制御パラメータは、物理アップリンク共有チャンネル（ＰＵＳＣＨ）のパワー制御に用いられ、前記第一ダウンリンク参照信号は、前記ＰＵＳＣＨに対してパワー制御を行うパスロス値の測定に用いられる。確定モジュール４２０はゼロイングされた前記第一クローズドループ調整係数に基づいて、前記ＰＵＳＣＨの送信パワーを確定する。
【手続補正４】
【補正対象書類名】明細書
【補正対象項目名】０１０４
【補正方法】変更
【補正の内容】
【０１０４】
一つの具体的な実施形態において、ネットワークデバイス５００における調整モジュール５１０は図７におけるプロセッサ７３０により実現されても良い。ネットワークデバイス５００における通信モジュールは図７における入力インターフェース７１０及び出力インターフェース７２０により実現されても良い。
【手続補正５】
【補正対象書類名】特許請求の範囲
【補正対象項目名】全文
【補正方法】変更
【補正の内容】
【特許請求の範囲】
【請求項１】
パワー制御の方法であって、
端末デバイスは、第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号に再構成が発生した場合に、前記第一ＳＲＩ情報に関連付けられた第一クローズドループ調整係数をゼロイングすることと、
前記端末デバイスは、ゼロイングされた前記第一クローズドループ調整係数に基づいて、前記ＰＵＳＣＨの送信パワーを確定することと、
を含むことを特徴とするパワー制御の方法。
【請求項２】
前記第一ＳＲＩ情報は、前記ＰＵＳＣＨをスケジューリングするためのダウンリンク制御情報（ＤＣＩ）に含まれる、ことを特徴とする請求項１に記載の方法。
【請求項３】
前記方法は更に前記端末デバイスがネットワークデバイスから送信された第一上位層シグナリングを受信することを含み、前記第一上位層シグナリングは複数のＳＲＩ情報に対応するオープンループパワー制御パラメータ又はダウンリンク参照信号のインデックスの構成に用いられ、
前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる、ことを特徴とする請求項１又は２に記載の方法。
【請求項４】
前記第一オープンループパワー制御パラメータは、目標受信パワー又はパスロス係数である、ことを特徴とする請求項１〜３の何れか一つに記載の方法。
【請求項５】
前記方法は更に、
前記端末デバイスが前記第一ＳＲＩ情報に関連付けられたクローズドループパワー制御プロセスに基づいて、前記クローズドループ制御プロセスにおける前記第一クローズドループ調整係数を確定することを含むことを特徴とする請求項１〜４の何れか一つに記載の方法。
【請求項６】
前記の前記第一ＳＲＩ情報に関連付けられた第一クローズドループ調整係数をゼロイングすることは、
前記ＰＵＳＣＨのクローズドループパワー制御に蓄積モードがオンされた場合に、前記端末デバイスが前記第一クローズドループ調整係数をゼロイングすることを含むことを特徴とする請求項１〜５の何れか一つに記載の方法。
【請求項７】
前記方法は更に、
前記端末デバイスが確定された前記送信パワーに基づいて前記ＰＵＳＣＨを送信することを含むことを特徴とする請求項１〜６の何れか一つに記載の方法。
【請求項８】
端末デバイスであって、
第一探測参照信号リソース指示（ＳＲＩ）情報に関連付けられた、物理アップリンク共有チャンネル（ＰＵＳＣＨ）のパワー制御に用いられる第一オープンループパワー制御パラメータ、又は第一ＳＲＩ情報に関連付けられた、前記ＰＵＳＣＨに対してパワー制御を行うパスロス値の測定に用いられる第一ダウンリンク参照信号に再構成が発生した場合に、前記第一ＳＲＩ情報に関連付けられた第一クローズドループ調整係数をゼロイングする調整モジュールと、
ゼロイングされた前記第一クローズドループ調整係数に基づいて、前記ＰＵＳＣＨの送信パワーを確定する確定モジュールと、
を備えることを特徴とする端末デバイス。
【請求項９】
前記第一ＳＲＩ情報は、前記ＰＵＳＣＨをスケジューリングするためのダウンリンク制御情報（ＤＣＩ）に含まれる、ことを特徴とする請求項８に記載の端末デバイス。
【請求項１０】
前記端末デバイスは更に、
ネットワークデバイスから送信された第一上位層シグナリングを受信する通信モジュールを備え、前記第一上位層シグナリングは、複数のＳＲＩ情報に対応するオープンループパワー制御パラメータ又はダウンリンク参照信号のインデックスの構成に用いられ、
前記複数のＳＲＩ情報に前記第一ＳＲＩ情報が含まれ、前記オープンループパワー制御パラメータに前記第一オープンループパワー制御パラメータが含まれ、前記ダウンリンク参照信号のインデックスに前記第一ダウンリンク参照信号のインデックスが含まれる、
ことを特徴とする請求項８又は９に記載の端末デバイス。
【請求項１１】
前記端末デバイスは、更に、
ネットワークデバイスから送信された、前記端末デバイスの各バンドワイズパート（ＢＷＰ）における複数のＳＲＩ情報に対応するオープンループパワー制御パラメータ又はダウンリンク参照信号のインデックスの構成に用いられる第二上位層シグナリングを受信する通信モジュールを備え、
前記確定モジュールは更に、
前記ＰＵＳＣＨを伝送するＢＷＰにおける前記対応関係に基づいて、前記第一ＳＲＩ情報に関連付けられた第一オープンループパワー制御パラメータ又は第一ＳＲＩ情報に関連付けられた第一ダウンリンク参照信号を確定する、ことを特徴とする請求項８〜１０の何れか一つに記載の端末デバイス。
【請求項１２】
前記第一オープンループパワー制御パラメータは、目標受信パワー又はパスロス係数である、ことを特徴とする請求項８〜１１の何れか一つに記載の端末デバイス。
【請求項１３】
前記確定モジュールは更に、
前記第一ＳＲＩ情報に関連付けられたクローズドループパワー制御プロセスに基づいて、前記クローズドループ制御プロセスにおける前記第一クローズドループ調整係数を確定する、ことを特徴とする請求項８〜１２の何れか一つに記載の端末デバイス。
【請求項１４】
前記調整モジュールは、具体的に、
前記ＰＵＳＣＨのクローズドループパワー制御に蓄積モードがオンされた場合に、前記第一クローズドループ調整係数をゼロイングする、ことを特徴とする請求項８〜１３の何れか一つに記載の端末デバイス。
【請求項１５】
前記端末デバイスは更に、
確定された前記送信パワーに基づいて前記ＰＵＳＣＨを送信する通信モジュールを備える、ことを特徴とする請求項８〜１４の何れか一つに記載の端末デバイス。
【国際調査報告】
2021515994.tif 000036
2021515994.tif 000037
2021515994.tif 000038
2021515994.tif 000039